(57)【要約】  【課題】  大きすぎる指輪の回転を防止する回転防止器具であって、適用範囲が広く、装飾品として単独でも使用することが可能なものを提供する。  【解決手段】  指輪(11)に、使用者が指を挿通する輪状の装着部(1)に加え、装着部(1)に挿通した指に沿う方向に装着部(1)から突出する突出部(2)を備えて、この指輪(11)を回転防止器具とする。指輪(11)と他の指輪(20)とを同一の指に装着したときに、突出部(2)は指と他の指輪(20)の装着部(21)との間の隙間を埋め、他の指輪(20)の回転を防止する。指輪(11)は、単独で装着するときにも、指輪としての装飾性を有する。【選択図】      図２
2005261809.tif 000002
【特許請求の範囲】
【請求項１】
指が挿通される概ね輪状の装着部を有する指輪であって、
前記装着部に挿通された指の長さ方向に概ね平行な方向に前記装着部から突出し、他の指輪と並べて同一の指が前記装着部に挿通されたときに、挿通された指と前記他の指輪の装着部の内周面との間に位置する突出部を有する
ことを特徴する指輪。
【請求項２】
前記突出部が、前記装着部に挿通された指から離れる方向に向かう突起を有することを特徴とする請求項１に記載の指輪。
【発明の詳細な説明】
【技術分野】
【０００１】
本発明は、使用者が指に装着する指輪に関し、特に、他の指輪の回転を防止する機能を有する指輪に関する。
【背景技術】
【０００２】
装飾品の１つとして、古くより指輪が用いられている。指輪は、指を挿通するための概ね輪状の装着部を有し、装飾性を高めるために、装着部の外周面に宝石等が取り付けられたり、外周面に彫刻が施されたりしている。
【０００３】
使用者は、装着部の内径が装着しようとする指の太さに概ね一致する指輪を選択するが、誤って大きすぎる指輪を選択して、あるいは、指が細くなって、装着時に指輪が指の周りに回転してしまうことがある。また、通常装着する指とは別の指に指輪を装着するときには、指の太さの違いにより、大きすぎて回転してしまうこともある。
【０００４】
このような大きすぎる指輪を指に適する大きさにするサイズ直しも行われているが、サイズ直しには設備や技術を要し、また、多くの場合、費用がかかり、さらに、ある程度の時間を要する。しかも、一時的に通常とは異なる指に装着する場合に、サイズ直しをすることは適切でない。このため、大きすぎる指輪の回転を防止する簡便な器具が求められている。
【０００５】
特開２００１−１２０３１４号公報には、このような要望に応え得る指輪留め具が提案されている。この指輪留め具は、偏心した筒状であり、肉厚の薄い部分に、長さ方向に沿ったスリットを有する。使用者は、指輪の装着部の一部分をスリットを通して留め具の内部に入れ、その後、肉厚の部分が指輪の中心側を向くように留め具を回転させる。そして、指の腹側が留め具に向かうように、指を装着部に挿通する。指と装着部の隙間は、留め具の厚さだけ減少することになり、これにより指輪の回転が防止される。
【特許文献１】特開２００１−１２０３１４号公報
【発明の開示】
【発明が解決しようとする課題】
【０００６】
上記の指輪留め具は簡素な構成であり便利である。しかしながら、使用中に、回転してスリットが内側を向き、指輪から脱落するおそれがある。また、装着部の幅が留め具の内径以下の指輪でなければ収容することができず、適用し得る指輪に制約がある。さらに、留め具を単独で装着することはできず、留め具のみを装飾のために利用することはできない。
【０００７】
本発明は、このような問題点に鑑みてなされたもので、使用中に脱落するおそれがなく、装着部の幅が狭い指輪に限らず広い指輪にも適用可能な指輪の回転防止用器具を提供することを目的とする。また、指輪の回転を防止する機能を有しながら、単独でも使用可能で装飾性を有する器具を提供することを目的とする。
【課題を解決するための手段】
【０００８】
上記目的を達成するために、本発明では、指輪に他の指輪の回転を防止する機能をもたせる。具体的には、指が挿通される概ね輪状の装着部を有する指輪において、装着部に挿通された指の長さ方向に概ね平行な方向に装着部から突出し、他の指輪と並べて同一の指が装着部に挿通されたときに、挿通された指と他の指輪の装着部の内周面との間に位置する突出部を有する構成とする。
【０００９】
この指輪は、装着部から指の長さ方向に突出する突出部を有しており、他の指輪と並べて同一の指に装着されたときに、突出部が指と他の指輪の装着部の内周面との間に位置する。したがって、指と他の指輪の装着部の間の隙間は、突出部の厚さだけ減少することになり、これにより他の指輪の回転が防止される。他の指輪がこの指輪よりも指の付け根側に位置し、突出部が指の付け根側を向く形態で装着すれば、他の指輪の回転を防止し得るだけでなく、他の指輪が指から脱落するのも防止することができる。また、この指輪を単独で指に装着することも可能であり、単独でも装飾性を有する器具となる。特に、装着部に宝石等を取り付けたり彫刻を施したりしておけば、装飾性は一層高くなる。
【００１０】
上記指輪は、突出部が、装着部に挿通された指から離れる方向に向かう突起を有する構成とすることもできる。宝石等が取り付けられた指輪では、その取り付け部の内面側に空洞が設けられることが多い。突出部の突起をその空洞の内部に位置させれば、突出部の厚さによる指と指輪の隙間の低減が不十分なときでも、突起によって指輪の回転を防止することが可能になる。また、指の長さ方向への指輪の移動も突起部によって防止される。さらに、突出部を長くしてその先端近傍に突起を設けておけば、他の指輪が突出部から外れるのを防止することができる。
【発明の効果】
【００１１】
本発明の指輪は、簡素な構成で有りながら、他の指輪の回転を防止することが可能であり、他の指輪の指からの脱落も防止することができる。しかも、他の指輪の装着部の幅の広狭にかかわらず適用することが可能である。また、単なる装飾のための指輪として単独で使用することもできる。
【発明を実施するための最良の形態】
【００１２】
本発明の指輪の実施形態について図面を参照しながら説明する。第１の実施形態の指輪１１の外観を図１に模式的に示す。指輪１１は、使用者が手の指を挿通する装着部１を有する。以下、装着部１に挿通した指の長さ方向を前後方向、前後方向に垂直で指の背と腹とを結ぶ方向を上下方向、前後方向と上下方向に垂直な方向を左右方向という。図１において、（ａ）は前方から見た正面図、（ｂ）は右方から見た側面図、（ｃ）は上方から見た上面図である。
【００１３】
装着部１は輪状であり、その外周面および内周面は正面から見て円形である。また、装着部１は、全周にわたって均一な厚さ（直径方向の大きさ）を有し、全周にわたって均一な幅（前後方向の大きさ）を有する。装着部１の外周面と内周面を連ねる２つの面の一方を前面といい、他方を後面という。なお、指をどちら側から挿通するかによって、前面が指先側に位置し後面が指の付け根側に位置することもあれば、前面が指の付け根側に位置し後面が指先側に位置することもある。
【００１４】
以下の説明は、装着部１１の内周面の直径が指輪１１を装着する指の太さに適する場合、すなわち、装着部１が小さすぎて指を過度に締め付けることもなければ、装着部１が大きすぎて指輪１１が容易に回転することもない場合を前提とする。この前提は、例えば、指輪１１として、装着部１の内周面の直径が異なるものを用意して、それらの中から選択できるようにすることで、容易に満たすことができる。人の手の指の標準的な太さを考慮すれば、装着部１の内周面の直径は、１ｃｍ程度から２．５ｃｍ程度となる。また、装着部１の厚さや幅は、通常の指輪と同程度とすればよく、したがって、厚さは１ｍｍ程度から３ｍｍ程度であり、幅は１ｍｍ程度から１ｃｍ程度である。
【００１５】
指輪１１は、装着部１の前面の一部から、前方に突出する、すなわち、指の長さ方向に概ね平行な方向に突出する突出部２を有する。突出部２は、装着部１の外周面から段差なく連続する外周面と、装着部１の内周面から段差なく連続する内周面を有する円弧状であり、その厚さは装着部１の厚さと同じである。また、突出部２の長さ（前後方向の大きさ）は５ｍｍ程度、すなわち、装着部１の幅の０．５倍程度から５倍程度であり、突出部２の幅は４ｍｍ程度、すなわち、装着部１の内周面の直径の０．２倍程度から０．４倍程度である。
【００１６】
指輪１１は、これに挿通する指の太さよりも装着部の内径が大きい他の指輪の回転を防止するために用いることができる。回転防止のために、このような他の指輪２０と指輪１１を組み合わせた状態を図２に模式的に示す。図２おいて（ａ）は前方から見た正面図、（ｂ）は右方から見た側面図である。また、点線は表面に現れていない部分を表している。
【００１７】
ここでは、他の指輪２０の例として、指を挿通する装着部２１と、その外周面に取り付けられた宝石等の装飾品部２２を有するものを示している。また、指輪２０の装着部２１の内周面の直径を、指輪１１の装着部１の外周面の直径から装着部１の厚さを減じた長さに等しくしている。したがって、指輪１１の突出部２の外周面を指輪２０の内周面に接触させた状態では、その接触部に対して装着部１１、２１の中心に関して反対側については、指輪１１の装着部１の内周面の高さと指輪２０の装着部２１の内周面の高さは等しくなる。つまり、指の太さが指輪１１の装着部１の内径に等しければ、指輪２０と指との隙間が突出部２によって丁度埋められる。
【００１８】
指に装着した状態の指輪１１と指輪２０を図３に模式的に示す。図３において、（ａ）は、指輪２０を指輪１１よりも指１０の付け根側に配置したときのものであり、指輪１１の突出部２は指１０の付け根側を向いている。一方、（ｂ）は、指輪２０を指輪１１よりも指先側に配置したときのものであり、指輪１１の突出部２は指先側を向いている。
【００１９】
（ａ）、（ｂ）いずれの装着形態においても、指輪１１が存在しなければ生じることになる指１０と指輪２０の装着部２１との隙間が指輪１１の突出部２で埋められており、指輪２０は、装着部２１の内周面が指と突出部２とに接して、それらから摩擦力を受けることになり、回転し難い。特に、指輪１１を指輪２０よりも指先側に配置した（ａ）の装着形態では、指先方向への指輪２０の移動が指輪１１によって確実に防止され、指輪２０が指から脱落することがない。
【００２０】
なお、図２および図３では、指輪２０の装飾品部２２と同様に、突出部２を指１０の背側に位置させているが、突出部２が指の腹側や横に位置する装着形態を採用することも可能である。ただし、突出部２を指の背側に位置させる形態が、最も装着感がよく、好ましい。
【００２１】
指輪１１により回転を防止する他の指輪は、ここに示した指輪２０のように、装着部の内周面の直径が、指輪１１の装着部１の外周面の直径から装着部１の厚さを減じた長さに等しいものに限られない。すなわち、指輪１１は、装着部２１の内周面の直径が、装着部１の外周面の直径から装着部１の厚さを減じた長さよりも少し大きい指輪や、少し小さい指輪であっても、隙間を減少させる作用によって、回転を防止することができる。特に、内周面の直径が上記の値よりも小さい指輪については、人の指の弾力により、摩擦力が大きくなって、より回転防止の効果が高くなる。
【００２２】
突出部２は装着部１の幅の２倍程度の長さを有しており、他の指輪が近接して装着される限り、その指輪の幅の広狭にかかわらず、その指輪の装着部と指との間に入り得る。したがって、指輪１１は、装着部の幅が狭い指輪に限らず装着部の幅が広い指輪についても、回転を防止することができる。
【００２３】
本実施形態では、装着部１を円状とし、かつ、装着部１の厚さと幅を一定としているが、本発明は、指の長さ方向に概ね沿った突出部２を備えたことが特徴であり、装着部１の形状には依存しない。すなわち、装着部１は、楕円状等の形状であってもよいし、全周にわたって連続している必要もない。また、本実施形態では、突出部２を、正面から見たときに円弧状とし、その外周面と内周面が装着部１の外周面と内周面にそれぞれ連続する形状としているが、突出部２は、他の指輪の装着部の内周面と指の間の隙間を埋め得るものであればよく、他の形状とすることもできる。
【００２４】
突出部２は指と他の指輪の装着部との間に入るに足るだけの長さを有すればよく、突出部２の長さを少なくとも２ｍｍとすれば、この条件は満たされる。本実施形態では、突出部２の長さを５ｍｍ程度としており、したがって上記条件は満たされている。突出部２をさらに長くすれば、同時に他の２つの指輪の回転を防止することも可能である。突出部２の長さの上限については特に制約はないが、回転を防止する他の指輪の数に応じて突出部２の長さを設定するのがよい。また、指輪１１は単独で指に装着することも可能であり、突出部２を含めて、装飾性を有する。突出部２の長さは、この装飾性も考慮して定めるのがよく、その上限は例えば２ｃｍ程度とするのが好ましい。
【００２５】
突出部２の厚さや幅は、指と他の指輪の装着部との隙間を埋める度合いを左右し、厚さや幅が大きいほど隙間を埋める効果は大きくなる。ただし、突出部２の厚さや幅が大きすぎると、指輪１１と他の指輪２０とによって指が過度に締め付けられる結果となるので、装飾性に加えてこれらの点を考慮して、突出部２の厚さや幅を設定するのがよい。例えば、突出部２の厚さは１ｍｍ程度から３ｍｍ程度、突出部２の幅は１ｍｍ程度から１ｃｍ程度とするのが好ましい。
【００２６】
指輪１１の材料としては、金属を用いることができるし、樹脂を用いることもできる。材料として白金、金、銀等の貴金属を用いれば指輪１１の装飾性は高まり、主材料として他の金属を用い、その表面を白金、金、銀等の貴金属で覆っても、指輪１１の装飾性が高まる。また、材料として樹脂を用いれば、低コストで指輪１１を作製することができる上、金属に比べて柔らかいため、他の指輪の表面を傷つけることがない。
【００２７】
以下、他の実施形態について説明するが、第１の実施形態で説明した構成要素と同一の機能を有する構成要素は第１の実施形態で用いた符号で表し、重複する説明は省略する。各実施形態で参照する指輪の外観を示す図には、図１と同様に、正面図、側面図および上面図を示し、他の指輪と組み合わせた状態を示す図には、図２と同様に、正面図および側面図を示す。また、各実施形態の指輪は、図３の（ａ）および（ｂ）に示したいずれの形態でも装着することができる。
【００２８】
第２の実施形態の指輪１２の外観を図４に示し、回転を防止する他の指輪２０と組み合わせた状態を図５に示す。本実施形態の指輪１２は、第１の実施形態の指輪１１（図１）の突出部２の外周面に、外側つまり指から離れる方向に向かう略半球状の突起３を設けたものである。突起３は、突出部２の前後方向の中央付近、またはそれよりも少し先端寄りに設けられている。
【００２９】
一般に、装飾品部を有する指輪では、装着部のうち装飾品部の下方に位置する部位に空洞が設けられており、指輪１２はこのような指輪２０の回転防止に適する。すなわち、突起３が装飾品部２２の下方の空洞に入るため、たとえ指と指輪２０の装着部２１との隙間を突出部２のみで埋めることができないときでも、突起３が空洞の内面に当接するによって、指輪２０の回転を防止することができる。また、突起３が空洞の内面に当接するによって、指輪１２から離間する方向への指輪２０の移動を防止することができるため、図３（ｂ）に示したように指輪１２よりも指先側に指輪２０を装着するときでも、指輪２０が指から脱落するおそれがない。
【００３０】
突起３を設けたことにより、指輪１２を単独で装着する場合の装飾性も高まる。なお、突起３は、半球形以外の形状としてもよい。
【００３１】
第３の実施形態の指輪１３の外観を図６に示し、回転防止の対象である他の指輪２０と組み合わせた状態を図７に示す。本実施形態の指輪１３は、突出部２を、前後方向に垂直な断面が概ね円形の形状とするとともに、上下方向に湾曲させたものである。突出部２の断面の直径は、装着部１の厚さ程度またはそれよりも少し小さい。また、突出部２の先端部４は、他の部位よりも直径が大きい球状とされており、さらに、装着部１に挿通した指から離れる方向に向かう突起となっている。球状である先端部４の上端は、装着部１の外周面よりも装着部の厚さ程度上方に位置し、したがって、先端部４は他の指輪２０の装着部２１と同程度の高さに位置する。
【００３２】
突起部２の長さは１ｃｍ程度であり、他の指輪２０は、その幅が数ｍｍ程度以下であれば、図７（ｂ）に示したように、装着部１と突出部２の先端部（突起）４との間に位置する。このような状態で指輪１３と共に指に装着された指輪２０は、指輪１３から離れる方向の移動を突出部２の先端部４によって規制されて、突出部２上から外れることがない。したがって、指輪２０の回転は、指輪１３の突出部２によって、確実に防止される。また、指輪１３は、突出部２の形状の違いにより、第１の実施形態の指輪１１（図１）とは異なる装飾性を有する。
【００３３】
第４の実施形態の指輪１４の外観を図８に示し、回転防止の対象である他の指輪２０と組み合わせた状態を図９に示す。本実施形態の指輪１４は、突出部２を、前後方向に垂直な断面が概ね円形の、円柱状としたものである。突出部２の直径は装着部１の厚さに等しく、突出部２は、装着部１の外周面と内周面に段差なく連なっている。指輪１４は、突出部２の形状の違いにより、第１の実施形態の指輪１１（図１）とは異なる装飾性を有する。
【００３４】
第５の実施形態の指輪１５の外観を図１０に示し、回転防止の対象である他の指輪２０と組み合わせた状態を図１１に示す。本実施形態の指輪１５は、第４の実施形態の指輪１４（図８）に突出部２をもう１つ加えたものである。２つの突出部２は位置が異なるのみで、形状や長さに差異はない。このように突出部２を２つ備えると、他の指輪の回転を防止する機能が、幅の広い１つの突出部を有するものと同等になる。
【００３５】
第６の実施形態の指輪１６の外観を図１２に示し、回転防止の対象である他の指輪２０と組み合わせた状態を図１３に示す。本実施形態の指輪１６は、第１の実施形態の指輪１１（図１）の突出部２に、外周面から内周面に達する孔５を設けたものである。指輪１６は、他の指輪２０の回転防止に関して指輪１１と同等の効果を有し、また、孔１５の存在により、指輪１１とは異なる装飾性を有する。
【００３６】
第７の実施形態の指輪１７の外観を図１４に示し、回転防止の対象である他の指輪２０と組み合わせた状態を図１５に示す。本実施形態の指輪１７は、第４の実施形態の指輪１４（図８）の突出部２を長くするとともに、その先端部６を左右方向に延びる円柱状の突起としたものである。突出部２の先端部（突起）６の幅（左右方向の大きさ）は８ｍｍ程度であり、先端部８の左右両端は他の指輪２０の装着部２１の一部と同じ高さに位置する。
【００３７】
突起部２の長さは１ｃｍ程度であり、他の指輪２０は、その幅が数ｍｍ程度以下であれば、図１５（ｂ）に示したように、装着部１と突出部２の先端部６との間に位置する。このような状態で指輪１３と共に指に装着された指輪２０は、指輪１７から離れる方向の移動を突出部２の先端部６によって規制されて、突出部２上から外れることがない。したがって、指輪２０の回転は、指輪１７の突出部２によって、確実に防止される。また、指輪１７は、突出部２の形状の違いにより、第４の実施形態の指輪１４とは異なる装飾性を有する。
【００３８】
第８の実施形態の指輪１８の外観を図１６に示し、回転防止の対象である他の指輪２０と組み合わせた状態を図１７に示す。本実施形態の指輪１８は、第１の実施形態の指輪１１（図１）の装着部１の外周面のうち突出部２の近傍に宝石等を取り付けて、装飾品部７としたものである。指輪１８の、他の指輪２０の回転を防止する機能は指輪１１と同じであるが、装飾品部７を設けたことにより、指輪１８の装飾性は指輪１１よりも高くなっている。なお、装着部１あるいは突出部２に彫刻等を施すことによって、装飾性を高めることもできる。
【００３９】
第９の実施形態の指輪１９の外観を図１８に示し、回転防止の対象である他の指輪２０と組み合わせた状態を図１９に示す。本実施形態の指輪１９は、２つの突出部２を有する第５の実施形態の指輪１５（図１０）に、さらに突出部２を加えたものである。新たに加えた突出部２は、装着部１の前面から突出する２つの突出部２は逆に、装着部１の後面から、後方に向かって突出する。また、新たに加えた突出部２は、他の２つの突出部２と形状や大きさが同じであるものの、装着部１の周方向において、他の２つの突出部２の間に位置する。
【００４０】
装着部１の前方と後方に突出する複数の突出部２を有する指輪１９は、図１９に示したように、他の２つの指輪２０、２０‘と組み合わせて装着することで、他の２つの指輪２０、２０’の回転を同時に防止することができる。また、突出部２の数を増したことにより、指輪１９は指輪１５とはさらに異なる装飾性を有している。
【００４１】
以上、本発明の指輪についていくつかの実施形態を掲げて説明したが、本発明はこれらの実施形態に限定されるものではない。本発明の主旨は、指と他の指輪との間の隙間を装着部１から突出する突出部２によって減少させることにより、他の指輪の回転を防止するという点にあり、この技術的思想の範囲内で、各実施形態の指輪は任意に変形あるいは修飾することが可能である。例えば、突出部２の数を１〜３とした実施形態を示したが、突出部の数を４以上としてもよい。また、例えば、突出部２の形状についても、円弧状、円柱状あるいはこれに近い形状とした実施形態を示したが、これら以外の形状としてもかまわない。
【図面の簡単な説明】
【００４２】
【図１】第１の実施形態の指輪の外観を模式的に示す正面図（ａ）、側面図（ｂ）および上面図（ｃ）。
【図２】回転防止の対象である他の指輪と組み合わせた状態の第１の実施形態の指輪を模式的に示す正面図（ａ）および側面図（ｂ）。
【図３】他の指輪と組み合わせて同一の指に装着した状態の第１の実施形態の指輪を模式的に示す側面図。
【図４】第２の実施形態の指輪の外観を模式的に示す正面図（ａ）、側面図（ｂ）および上面図（ｃ）。
【図５】回転防止の対象である他の指輪と組み合わせた状態の第２の実施形態の指輪を模式的に示す正面図（ａ）および側面図（ｂ）。
【図６】第３の実施形態の指輪の外観を模式的に示す正面図（ａ）、側面図（ｂ）および上面図（ｃ）。
【図７】回転防止の対象である他の指輪と組み合わせた状態の第３の実施形態の指輪を模式的に示す正面図（ａ）および側面図（ｂ）。
【図８】第４の実施形態の指輪の外観を模式的に示す正面図（ａ）、側面図（ｂ）および上面図（ｃ）。
【図９】回転防止の対象である他の指輪と組み合わせた状態の第４の実施形態の指輪を模式的に示す正面図（ａ）および側面図（ｂ）。
【図１０】第５の実施形態の指輪の外観を模式的に示す正面図（ａ）、側面図（ｂ）および上面図（ｃ）。
【図１１】回転防止の対象である他の指輪と組み合わせた状態の第５の実施形態の指輪を模式的に示す正面図（ａ）および側面図（ｂ）。
【図１２】第６の実施形態の指輪の外観を模式的に示す正面図（ａ）、側面図（ｂ）および上面図（ｃ）。
【図１３】回転防止の対象である他の指輪と組み合わせた状態の第６の実施形態の指輪を模式的に示す正面図（ａ）および側面図（ｂ）。
【図１４】第７の実施形態の指輪の外観を模式的に示す正面図（ａ）、側面図（ｂ）および上面図（ｃ）。
【図１５】回転防止の対象である他の指輪と組み合わせた状態の第７の実施形態の指輪を模式的に示す正面図（ａ）および側面図（ｂ）。
【図１６】第８の実施形態の指輪の外観を模式的に示す正面図（ａ）、側面図（ｂ）および上面図（ｃ）。
【図１７】回転防止の対象である他の指輪と組み合わせた状態の第８の実施形態の指輪を模式的に示す正面図（ａ）および側面図（ｂ）。
【図１８】第９の実施形態の指輪の外観を模式的に示す正面図（ａ）、側面図（ｂ）および上面図（ｃ）。
【図１９】回転防止の対象である他の指輪と組み合わせた状態の第９の実施形態の指輪を模式的に示す正面図（ａ）および側面図（ｂ）。
【符号の説明】
【００４３】
１１〜１９  指輪
１    装着部
２    突出部
３    突起
４    突起
５    孔
６    突起
７    装飾品部
１０    指
【図１】
2005261809.tif 000003
【図２】
2005261809.tif 000004
【図３】
2005261809.tif 000005
【図４】
2005261809.tif 000006
【図５】
2005261809.tif 000007
【図６】
2005261809.tif 000008
【図７】
2005261809.tif 000009
【図８】
2005261809.tif 000010
【図９】
2005261809.tif 000011
【図１０】
2005261809.tif 000012
【図１１】
2005261809.tif 000013
【図１２】
2005261809.tif 000014
【図１３】
2005261809.tif 000015
【図１４】
2005261809.tif 000016
【図１５】
2005261809.tif 000017
【図１６】
2005261809.tif 000018
【図１７】
2005261809.tif 000019
【図１８】
2005261809.tif 000020
【図１９】
2005261809.tif 000021